(57)【特許請求の範囲】
【請求項１】
イオンビームエッチング装置内の試料を処理するための試料テーブルであって、
該試料テーブル（１００、３００、４００、５００、６００）は、少なくとも２つの位置決めユニットを備えた交換テーブルとして設けられており、前記位置決めユニットは、各々につき受容機構（１０６）とマスク（１０５）を有し、
前記受容機構（１０６）内には、イオンビームエッチング過程中に該試料テーブルの方向へ配向されているイオンビームに関して試料（１０４）が取り付け可能であり、
前記試料（１０４）は、該試料の位置について前記マスク（１０５）に対して相対的に位置決め可能であり、
該試料テーブルは、該試料テーブル上の前記位置決めユニットの各々が前記イオンビームエッチング装置のイオンビームに対して配向可能である位置決め位置の間において交換を可能とする機構（１０７、３０７、４０７、５０７、６０７）を有し、
イオンビームエッチング過程中には、１つの前記位置決めユニット（１０１、３０１、４０１、５０１、６０３）内の前記試料（１０４）が前記イオンビームにさらされており、それに対して各々の残りの前記位置決めユニットは前記イオンビームから回避されており、
前記位置決めユニットは、該試料テーブル上の全ての試料（１０４）がイオンビームエッチングを用いて処理完了となるまで、共通の真空チャンバ内に常時配置されており、
少なくとも、前記イオンビームエッチング装置の前記イオンビームに対して配向されている１つの前記位置決めユニット（１０１、３０１、４０１、５０１、６０３）と、前記イオンビームから回避されている各々の残りの前記位置決めユニットとの間には、イオンビームエッチング過程中不動の少なくとも１つの保護用分離部が配設されていること
を特徴とする試料テーブル。
【請求項２】
前記試料テーブル（１００、３００、４００、５００）は、１つの回転軸線（Ｌ）の周りで回転可能な回転ディスク（１０７、３０７、４０７、５０７）を含んで構成され、前記位置決めユニットは、互いにずらされて回転可能な該回転ディスク上に配設されており、前記位置決めユニットは、該回転ディスクの回転によりイオンビームに対して配向可能であること
を特徴とする、請求項１に記載の試料テーブル。
【請求項３】
前記回転ディスク（１０７、３０７）の前記回転軸線は、垂直方向に配向されていること
を特徴とする、請求項２に記載の試料テーブル。
【請求項４】
前記回転ディスク（４０７、５０７）の前記回転軸線は、水平方向に配向されていること
を特徴とする、請求項２に記載の試料テーブル。
【請求項５】
前記試料テーブル（６００）は、縦長に形成された可動式の支持台（６０７）を含んで構成され、前記位置決めユニット（６０１〜６０５）は、長手方向において縦長の前記支持台上に配設されており、前記位置決めユニットは、長手方向における前記支持台の移動により前記イオンビームに対して配向可能であること
を特徴とする、請求項１に記載の試料テーブル。
【請求項６】
前記支持台（６０７）は、スライドレールとして形成されていること
を特徴とする、請求項５に記載の試料テーブル。
【請求項７】
前記試料テーブルは、前記回転ディスクの回転のために或いは前記支持台の移動のために、制御可能な駆動部を有すること
を特徴とする、請求項２〜６のいずれか一項に記載の試料テーブル。
【請求項８】
各前記位置決めユニットは、各々隣接する前記位置決めユニットから１つの保護用分離部により分離されていること
を特徴とする、請求項１〜７のいずれか一項に記載の試料テーブル。
【請求項９】
前記保護用分離部（１０９ａ、１０９ｂ、１０９ｃ）は、永続的に配設されていること
を特徴とする、請求項１〜８のいずれか一項に記載の試料テーブル。
【請求項１０】
前記保護用分離部は、位置決め可能に配設されていること
を特徴とする、請求項１〜８のいずれか一項に記載の試料テーブル。
【請求項１１】
位置決め可能な前記保護用分離部は、保護用カバーを含んで構成され、該保護用カバーは、バネ機構を用いて開閉可能であること
を特徴とする、請求項１０に記載の試料テーブル。
【請求項１２】
位置決め可能な前記保護用分離部（５０８ｂ、５０８ｃ、６０８ｂ、６０８ｃ）は、保護用カバーを含んで構成され、該保護用カバーは、オーバーラップする薄片を有すること
を特徴とする、請求項１０に記載の試料テーブル。
【請求項１３】
位置決め可能な前記保護用分離部は、開閉可能な保護用カバーを含んで構成され、該保護用カバーには、開閉のための駆動部が付設されていること
を特徴とする、請求項１０に記載の試料テーブル。
【請求項１４】
３つの位置決めユニットが、前記回転ディスク（１０７、３０７、４０７、５０７）上で互いに１２０°の角度をおいて配設されており、これらの３つの位置決めユニットの間には、各々、前記回転ディスクに対して垂直に配設され且つ前記回転軸線（Ｌ）に対して半径方向に延在する保護用分離部（１０９ａ、１０９ｂ、１０９ｃ）が配設されていること
を特徴とする、請求項２〜４及び８〜１３のいずれか一項に記載の試料テーブル。
【請求項１５】
請求項１〜１４のいずれか一項に記載の試料テーブルを含んで構成されること
を特徴とする試料テーブルフランジ。
【請求項１６】
イオンビームエッチング装置内の少なくとも２つの試料を順次的に作製するための方法であって、
以下のステップ、即ち、
（ａ）請求項１〜１４のいずれか一項に記載の試料テーブルの少なくとも２つの位置決めユニットに試料を固定し、これらの各々の位置決めユニットにおいて前記試料を手動で調節するステップと、
（ｂ）真空チャンバ内に前記試料テーブルを配置するステップと、
（ｃ）前記試料テーブルの移動によりイオンビームに対して前記位置決めユニットの１つを配向し、この際、この位置決めユニット内の試料は前記イオンビームにさらされ、それに対して各々の残りの前記位置決めユニットは前記イオンビームから回避されており、そしてイオンビームエッチングを用い、前記イオンビームにさらされている前記試料を処理するステップと、
（ｄ）前記試料テーブルの移動により位置決め位置を交換し、前記イオンビームに対して次の前記位置決めユニットを配向し、そしてイオンビームエッチングを用いて前記試料を作製するステップと、
（ｅ）ステップ（ｃ）及び（ｄ）を、イオンビームエッチングを用いて全ての試料が作製されるに至るまで繰り返すステップと、
（ｆ）必要に応じてステップ（ｃ）から（ｅ）を繰り返すステップとを含むこと
を特徴とする方法。
【請求項１７】
前記ステップ（ｄ）の位置決め位置の交換は、順次的に行われること
を特徴とする、請求項１６に記載の方法。
【発明の詳細な説明】
【技術分野】
【０００１】
（関連出願の記載）
本出願は、２０１１年２月９日出願のオーストリア特許出願第Ａ１６８／２０１１号の優先権主張に基づくものであり、同出願の全記載内容は引用をもって本明細書に組み込み記載されているものとする。
【０００２】
本発明は、イオンビームエッチング装置内の試料（サンプル）を処理（加工）するための試料テーブルに関するものであり、該試料テーブルは、受容機構とマスクを有する少なくとも１つの位置決めユニットを備えており、この際、前記受容機構内には、イオンビームエッチング過程中に該試料テーブルの方向へ配向されているイオンビームに関して試料が取り付け可能であり、更に前記試料は、該試料の位置について前記マスクに対して相対的に位置決め可能である。
【０００３】
更に本発明は、イオンビームエッチング装置内の試料作製のための方法に関する。
【背景技術】
【０００４】
（背景技術とその分析）
イオンビームエッチングは、試料作製（試料調整）のために頻繁に使用される方法であり、それらの試料の構造が典型的には引き続き走査型電子顕微鏡（ＲＥＭ）並びに透過型電子顕微鏡（ＴＥＭ）において検査される。特にこの技術は、半導体や金属やセラミックスやプラスチックなどの多岐にわたる、研究、材料研究、並びに品質管理において使用される。当該方法を実行するために試料は、イオンビームエッチング装置の試料テーブル上に取り付けられ、１つの又は複数のイオンビームのビーム路内において調節される。イオンビームエッチング装置は、典型的には１０−６ｍｂａｒの基準圧力で作動する高真空装置である。イオンとしては、多くの場合はアルゴンイオンが通常は１〜１０ｋＶの加速電圧で使用される。この際、電子顕微鏡内の画像解像度の品質は、基本的に作製試料の品質の良さに依存する。特に周知のイオンビームエッチング法のもとには、実際には特にイオンビームスロープ（斜切）エッチング(Ionenstrahlboeschungsaetzen)、ＲＥＭ試料のイオン研磨(Ionenpolieren)、ワイヤ（プロフィル）カッティング法(Drahtabschattungsverfahren)、並びにＴＥＭ標準試料のイオンビーム作製がある。最後の２つの方法がＴＥＭ試料のために使用されるのに対し、イオンビームスロープエッチングはＲＥＭ横断面試料を製造するするために使用される。スロープエッチングでは、試料の側面（Profile）がイオンビームを用いて露出され、この際、試料の領域は、試料の表面上に配置された又は試料の表面に対して調節されたマスク(Maske)により、イオンビームによる材料切除から保護されている。イオンビームスロープエッチング法は、高品質のＲＥＭ試料の製造において特に効果的であると証明されており、この方法では、少なくとも２つのイオンビーム、好ましくは３つのイオンビームが互いに所定角度のもと試料表面へと案内される。この方法は、特許文献１において開示されている。
【０００５】
従来技術から公知の或いは目下市場に存在するイオンビームエッチング装置は、各エッチング過程後に手動の試料交換が必要であるという短所をもつ。多くの場合、試料交換は、真空室（真空チャンバ）の換気と開放、並びに真空の新たな設定を要求する。スルース（通過機構）を用いて動作するイオンビームエッチング装置では、各試料交換時に試料の送り出しと送り入れが必要である。この所謂スルース過程は、同様に装置領域の換気とエア抜きを要求する。この種の試料交換には時間がかかり、装置のフル稼動能力(Auslastung)を減少させ、試料のスループットを減少させ、従って試料作製の経済性を減少させることになる。またこの種の装置を、利用者よる手動の試料交換が必要とされることなく、比較的長時間にわたって連続的に（例えば一晩中）フル稼働させることは不可能である。それに加え、各試料交換は、換気が原因で空気粒子による汚染の可能性をもち、それにより装置点検が比較的短い期間で必要となる。
【０００６】
特許文献２には、薄層のエッチングのための試料把持器が記載されており、該試料把持器では、回転円板上の複数の試料が選択的にイオンビーム内へと位置決めされる。
【先行技術文献】
【特許文献】
【０００７】
【特許文献１】WO 2008/106815 A2
【特許文献２】DE 2 313 096 A1
【０００８】
尚、上記特許文献１、２の全開示内容はそれらの引用をもって本書に組込み記載されているものとする。
【発明の概要】
【発明が解決しようとする課題】
【０００９】
本発明の課題は、背景技術から公知である上記短所を排除することである。特に本発明により、装置のフル稼動能力が改善され、従って試料作製の経済性が向上され、そして試料交換の回数ができるだけ少なく抑えられるべきである。
【課題を解決するための手段】
【００１０】
本発明の第１の視点により、イオンビームエッチング装置内の試料を処理するための試料テーブルであって、該試料テーブルは、少なくとも２つの位置決めユニットを備えた交換テーブルとして設けられており、前記位置決めユニットは、各々につき受容機構とマスクを有し、前記受容機構内には、イオンビームエッチング過程中に該試料テーブルの方向へ配向されているイオンビームに関して試料が取り付け可能であり、前記試料は、該試料の位置について前記マスクに対して相対的に位置決め可能であり、該試料テーブルは、該試料テーブル上の前記位置決めユニットの各々が前記イオンビームエッチング装置のイオンビームに対して配向可能である位置決め位置の間において交換を可能とする機構を有し、イオンビームエッチング過程中には、１つの前記位置決めユニット内の前記試料が前記イオンビームにさらされており、それに対して各々の残りの前記位置決めユニットは前記イオンビームから回避されており、前記位置決めユニットは、該試料テーブル上の全ての試料がイオンビームエッチングを用いて処理完了となるまで、共通の真空チャンバ内に常時配置されており、少なくとも、前記イオンビームエッチング装置の前記イオンビームに対して配向されている１つの前記位置決めユニットと、前記イオンビームから回避されている各々の残りの前記位置決めユニットとの間には、イオンビームエッチング過程中不動の少なくとも１つの保護用分離部が配設されていることを特徴とする試料テーブルが提供される。
【００１１】
本発明の第２の視点により、上記試料テーブルを含んで構成されることを特徴とする試料テーブルフランジが提供される。
【００１２】
本発明の第３の視点により、イオンビームエッチング装置内の少なくとも２つの試料を順次的に作製するための方法であって、
以下のステップ、即ち、
（ａ）上記試料テーブルの少なくとも２つの位置決めユニットに試料を固定し、これらの各々の位置決めユニットにおいて前記試料を手動で調節するステップと、
（ｂ）真空チャンバ内に前記試料テーブルを配置するステップと、
（ｃ）前記試料テーブルの移動によりイオンビームに対して前記位置決めユニットの１つを配向し、この際、この位置決めユニット内の試料は前記イオンビームにさらされ、それに対して各々の残りの前記位置決めユニットは前記イオンビームから回避されており、そしてイオンビームエッチングを用い、前記イオンビームにさらされている前記試料を処理するステップと、
（ｄ）前記試料テーブルの移動により位置決め位置を交換し、前記イオンビームに対して次の前記位置決めユニットを配向し、そしてイオンビームエッチングを用いて前記試料を作製するステップと、
（ｅ）ステップ（ｃ）及び（ｄ）を、イオンビームエッチングを用いて全ての試料が作製されるに至るまで繰り返すステップと、
（ｆ）必要に応じてステップ（ｃ）から（ｅ）を繰り返すステップとを含むこと
を特徴とする方法が提供される。
【００１３】
つまり上記課題は、本発明に従い、試料テーブルが、交換テーブルとして設けられており、少なくとも２つの位置決めユニットと、該試料テーブル上の前記位置決めユニットの各々がイオンビームエッチング装置のイオンビームに対して配向（位置合わせ）可能である位置決め位置の間において交換を可能とする機構とを有すること、１つの前記位置決めユニット内の試料が前記イオンビームにさらされており、それに対して各々の残りの前記位置決めユニットは前記イオンビームから回避されていること、前記位置決めユニットは共通の容器（真空チャンバ）内に配置されていること、及び、少なくとも、前記イオンビームエッチング装置の前記イオンビームに対して配向されている１つの前記位置決めユニットと、前記イオンビームから回避されている各々の残りの前記位置決めユニットとの間には、少なくとも１つの保護用分離部が配設されていることにより解決される。
【発明の効果】
【００１４】
本発明に従い、共通の容器（真空チャンバ Rezipient）内に複数の位置決めユニットを配置することにより、例えば真空室である装置領域の換気及び開放が、実行された各試料作製の後には、もはや不必要である。前記装置領域の換気及び開放は、全ての試料がイオンビームエッチングを用いて完全に作製された後に初めて実行することができる。複数の位置決めユニットが共通の容器（真空チャンバ）内に配置されているので、これらの位置決めユニット上に取り付けられた試料は、真空チャンバ内の真空状態を中断することなく相前後して連続的に作製することができる。未使用時間も著しく減少されるが、その理由は、利用者による試料交換のための手動介入が必要とされることなく、イオンビームエッチング装置のフル稼動が比較的長い時間（例えば一晩中）にわたって可能なためである。
【００１５】
従って、上記課題に対応する効果、即ち、装置のフル稼動能力が改善され、従って試料作製の経済性が向上され、そして試料交換の回数ができるだけ少なく抑えられるという顕著な効果が得られている。
【００１６】
本明細書に添付の図面の簡単な説明は、以下のとおりである。
【図面の簡単な説明】
【００１７】
【図１】垂直方向の回転軸線と全部で３つの位置決めユニットを有する、本発明に従う回転可能な試料テーブルの第１実施形態の斜視図である。
【図２】図１による試料テーブルが配設された試料テーブルフランジの斜視図である。
【図３】図２による試料テーブルフランジが取り付けられた開放状態のイオンビームエッチング装置の側面図であり、図３において試料テーブルフランジは、９０°傾動された第１調節位置にある。
【図４】図３によるイオンビームエッチング装置を示す図であるが、図４において試料テーブルフランジは第２調節位置へと旋回されている。
【図５】図３及び図４によるイオンビームエッチング装置における閉鎖状態の真空室の断面図であり、図５において試料テーブルフランジは稼動位置にある。
【図６】垂直方向の回転軸線と多数の位置決めユニットを有する、本発明に従う回転可能な試料テーブルの第２実施形態の俯瞰図である。
【図７】水平方向の回転軸線と多数の位置決めユニットを有する、本発明に従う回転可能な試料テーブルの第３実施形態の側面図である。
【図８】水平方向の回転軸線と多数の位置決めユニットを有する、本発明に従う回転可能な試料テーブルの第４実施形態の側面図である。
【図９】スライドレールの形式の、本発明に従う試料テーブルの第５実施形態の側面図である。
【発明を実施するための形態】
【００１８】
以下、本発明の実施形態の概要について説明する。
【００１９】
試料テーブルは、好ましくはフランジハウジング内に取り付けられ、該フランジハウジングは、イオンビームエッチング装置の真空室（真空チャンバ）に真空気密状態で接続することができる。位置決めユニットの位置決め位置(Positionierungen)の交換により試料は、好ましくは順次的(Sequentiell)にイオンビームにさらすことができる。１つの試料がイオンビームにさらされており且つ作製される間（処理位置）、各々の残りの試料はイオンビームから回避されている（待機位置）。試料の作製完了後に、作製されたこの試料は、処理位置から待機位置へと交換（位置決め位置の交換）され、先にイオンビームから回避されており且つまだ作製すべき試料が待機位置から処理位置へと交換される。
【００２０】
イオンビームエッチングを用いた試料作製は、好ましくは順次的に行われる。また、装置領域（真空室）の換気及び開放を含んでいる手動の試料交換を必要とすることなく、１回目の作製処理手順サイクル（作製プロシージャ）による各試料の第１作製過程後に、全ての又は選択された試料の２回目の又は更なる作製処理手順サイクルを実行することが可能である。例えば、熱に対して敏感な（即ち熱に弱い）試料を処理する場合には、多くの場合、試料を損傷させないためにイオンビームエッチング中に休みを入れる必要性がある。従って本発明により、熱に対して敏感な試料は、休みを入れるために待機位置へと交換され、引き続き、２回目の又は更なる作製処理手順サイクルにより完全に作製することができる。所定の適用においては、待機位置にある熱に対して敏感な試料を冷却することが必要でありえる。イオンビームエッチング装置用の冷却装置は、当業者にとって周知である。また所定の試料においては、通常は高エネルギーのイオンビームを用いて実行されるイオンビームエッチング過程に続き、試料を更に短時間の間、より低いエネルギーのイオンビームを用いて処理（加工）することも必要でありえる。より低いエネルギーのイオンビームを用いたこの処理により、先に露出された試料表面の洗浄効果が得られる。本発明により、多数の試料を任意の順番で異なった作製パラメータを用いて処理する可能性が得られている。
【００２１】
試料テーブルは、少なくとも２つの位置決めユニット、好ましくは少なくとも３つの又はそれ以上の位置決めユニットを含んでいる。試料テーブルがより多くの位置決めユニットを有するほど、イオンビームエッチング装置のフル稼働能力はより高くなる。例えば１０個までの位置決めユニットを有する試料テーブルは有利であるが、その理由は、それによりイオンビームエッチング装置のフル稼動能力を高くでき、それにもかかわらず試料テーブルはコンパクトなサイズ(handliche Demension)を有し、更には例えばイオン源のために必要な整備期間を維持することができるためである。しかしこのことは、試料テーブルが１０個より多い位置決めユニットを含んでもよいことを除外するわけではない。
【００２２】
好ましい実施形態において、試料テーブルは、１つの回転軸線の周りで回転可能な回転ディスクを含んでおり、この際、複数の位置決めユニットは、好ましくは同じ角度で互いにずらされて回転可能な該回転ディスク上に配設されており、これらの位置決めユニットは、該回転ディスクの回転により好ましくは順次的にイオンビームに対して配向（位置合わせ）可能である。従って回転ディスクの回転により位置決めユニットは、これらの位置決めユニットに固定されている試料と共に処理位置へと或いは待機位置へと交換される。この実施形態は、特にコンパクトな構成をもち、それに加え、多数の位置決めユニットを省スペースで試料テーブル上に格納できるという長所をもっている。水平型回転テーブル或いは試料ルーレット(Probenkarussel)の形式による第１下位変形例において回転ディスクの回転軸線は、実質的に垂直方向（鉛直方向）に配向されている。垂直型回転テーブルの形式による第２下位変形例において回転ディスクの回転軸線は実質的に水平方向に配向されている。
【００２３】
本発明に従う試料テーブルの他の有利な実施形態では、試料テーブルが、縦長に形成された可動式の支持台(Auflage)を含んでおり、この際、複数の位置決めユニットは、長手方向（縦方向）において好ましくは規則的な間隔をもって縦長の支持台上に配設されており、これらの位置決めユニットは、長手方向における支持台の移動により順次的にイオンビームに対して配向可能である。
【００２４】
有利な下位変形例では、複数の位置決めユニットが固定されているスライドレールとして支持台が形成されている。
【００２５】
イオンビームに対し、照射位置にあるその都度の位置決めユニットの正確で且つ目標に合わせた位置決めを可能とするために、試料テーブルは、回転ディスクの回転のために或いは縦長の支持台の移動のために、制御可能な駆動部を有する。この駆動部の制御は、周知の方式による制御機構或いは制御機能を介して行われる。この駆動部は、真空室の外側又は内側に配設することができる。有利な変形例においてこの駆動部は制御可能な歯車駆動部であり、その機能方式は当該分野に関連する当業者には良く知られている。例えば、回転ディスクの回転のためには駆動部の駆動歯車が、回転ディスクの外側縁部に設けられた歯部と噛合する。上記支持台の長手方向（縦方向）の移動のためには駆動部の駆動歯車が、例えば、長手方向において支持台に沿って延在する歯部と噛合する。別の変形例において駆動部は、直接的に回転ディスクの駆動軸に係合することもできる。また、回転ディスクを、真空に適した歯付きベルトを用いて動かすことも可能である。真空に適した歯付きベルトは従来技術から周知である。
【００２６】
イオンビームエッチング法の実行中には、イオンビームを用いることにより、処理位置にある試料から連続的に材料が切除(abtragen)される。この際、これらの材料粒子が待機位置にある試料に当たり或いは積もり、結果的にこれらの試料を汚染する危険性があり、その際にはこれらの試料の品質を低下させることになる。従って、イオンビームから回避されている位置決めユニットをそのような汚染から保護するために、本発明に従い上述のように位置決めユニットの間に保護用分離部が配設されていることは大きな長所である。保護用分離部の材料の性質に関しては、保護用分離部が、真空に適しており且つ容易に洗浄できる材料から製造されていることが重要である。真空に適したこの種の材料は、当該分野に関連する当業者には良く知られている。保護用分離部もイオンビームエッチング過程中には少なくとも部分的にイオンビームにさらされているので、摩滅(Abnutzung)を減少するために、極めて低いエッチング速度(Aetzrate)を有する材料とすべきである。実際には、硬金属（ハードメタル）、特に鋼材（スチール）が特に有利であると証明されている。
【００２７】
第１変形例において保護用分離部は、永続的に試料テーブル上に配設されている。保護用分離部は、好ましくは、試料テーブルと溶接結合されている、又はネジ結合機構又はその他の固定機構により永続的に試料テーブルと結合されている。
【００２８】
別の変形例において保護用分離部は、位置決め可能に配設されている。位置決め可能な保護用分離部の第１下位変形例において保護用分離部は、バネ機構を用いて開閉可能である、折り畳み可能な又は旋回可能な又は摺動可能なカバー(Abdeckung)を含んでいる。カバーとしては、例えば、カバーの摺動又は旋回又は折り畳みにより、又はベローズ(Faltenbalg)の形式のカバーの押しつぶしにより開口部が開放され、該開口部を通して位置決めユニットの交換を可能とするカバーとして理解される。前記バネ機構は、試料テーブルの移動により、例えば、移動する位置決めユニットによるか又はレバーを用いて作動することができ、それによりカバーが開口部を開放する。次の位置決めユニットが処理位置へと交換されると直ぐに、バネ力によりカバーが再び閉鎖する。
【００２９】
位置決め可能な保護用分離部の第２変形例において保護用分離部は、真空に適しており且つ実質的に垂直方向に延在してオーバーラップする薄片(Lamellen)、又は薄片カーテンの形式の帯材(Baender)を有する被覆部材を有するカバーを含んでいる。位置決めユニットの位置決め位置の交換時には、これらの位置決めユニットが保護用分離部のカバーの薄片を通過することができる。
【００３０】
位置決め可能な保護用分離部の第３変形例において保護用分離部は、開閉用の固有の駆動部が付設されている、少なくとも１つの折り畳み可能な又は旋回可能な又は摺動可能なカバーを含んでいる。カバーとしては、上記の変形例のように、カバーの摺動又は旋回又は折り畳みにより、又はベローズの形式のカバーの押しつぶしにより開口部が開放され、該開口部を通して位置決めユニットの交換を可能とするカバーとして理解される。ところで、バネ機構を備えた上記変形例と比べ、この変形例の短所は、より多くの制御技術的な手間が必要になるということであるが、その理由は、カバーの開閉が位置決めユニットの交換と時間的に同期して行われなくてはならないためである。
【００３１】
簡単に行うことのできる実現化として各位置決めユニットは、各々隣接する位置決めユニットから１つの保護用分離部により分離されている。この際には目的に適うよう、保護用分離部が永続的に試料テーブル上に配設されている変形例が使用される。
【００３２】
本発明に従う試料テーブルの特殊な実施形態は、正に３つの位置決めユニットを設けることにあり、これらの位置決めユニットは、回転ディスク上で互いに１２０°の角度をおいて配設されており、この際、これらの３つの位置決めユニットの間には、各々、回転ディスクに対して垂直(normal)に配設され且つ回転軸線に対して半径方向に延在する保護用分離部が配設されている。
【００３３】
本発明に従う試料テーブルは、好ましくは、真空フランジ部材(Vakuumflansch)として構成されているフランジハウジング内に配設されている。この際、試料テーブルが（内部に）配設されたフランジハウジングは「試料テーブルフランジ」とも称される。この試料テーブルフランジは、イオンビームエッチング装置の真空室（バキュームチャンバ）にフランジ結合される。従って本発明は、本発明に従う試料テーブルを上述のように含んでいる試料テーブルフランジにも関するものである。
【００３４】
更に本発明は、本発明に従う試料テーブルが使用されるイオンビームエッチング装置内の少なくとも２つの試料を順次的に作製（調整）するための方法に関するものでもある。
【００３５】
本発明に従う方法は、少なくとも、以下のステップを含んでいる：
（ａ）本発明に従う試料テーブルの少なくとも２つの位置決めユニットに試料を固定し、これらの各々の位置決めユニットにおいて前記試料を手動で調節するステップと、
（ｂ）真空チャンバ(Rezipienten)内に前記試料テーブルを配置するステップと、
（ｃ）前記試料テーブルの移動によりイオンビームに対して前記位置決めユニットの１つを配向（位置合わせ）し、この際、この位置決めユニット内の試料は前記イオンビームにさらされ、それに対して各々の残りの前記位置決めユニットは前記イオンビームから回避されており、そしてイオンビームエッチングを用い、前記イオンビームにさらされている前記試料を処理（加工）するステップと、
（ｄ）前記試料テーブルの移動により位置決め位置を交換し、前記イオンビームに対して次の前記位置決めユニットを配向（位置合わせ）し、そしてイオンビームエッチングを用いて前記試料を作製するステップと、
（ｅ）ステップ（ｃ）及び（ｄ）を、イオンビームエッチングを用いて全ての試料が作製されるに至るまで繰り返すステップと、
（ｆ）必要に応じてステップ（ｃ）から（ｅ）を繰り返すステップ。
【００３６】
ステップ（ｄ）の位置決め位置の交換は、好ましくは順次的に行われる、即ちシーケンシャルな順番で試料が作製される。
【００３７】
上記方法ステップから良好に認識できるように、全ての試料は、真空チャンバ内に試料テーブルを配置する前に、即ち真空チャンバ（真空室）を閉鎖して真空状態にする前に、各々の位置決めユニットにおいて手動で調節される（ステップ（ａ））。試料保護用のマスクは、好ましくは位置決めユニットにおいて固定位置を有する。各々の試料は、各々のマスクに対して相対的に位置決めされる。イオンビームエッチング法の実行中には、調節済みの各々の試料とマスクのユニットが位置決め位置の交換によりイオンビームに対して相対的に位置決めされ、該当試料がイオンビームを用いて処理される。上述のように、全ての又は選択された試料は、２回の又は複数回の作製過程(Durchlaeufe)により何回にわたっても処理することもできる。
【００３８】
本発明において下記の形態が可能である。尚、下記の各形態は本願の当初特許請求の範囲の各請求項に記載した各々の構成要件にも対応している。また本願の特許請求の範囲に付記されている図面参照符号は専ら本発明の理解の容易化のためのものであり、本発明を後続段落で説明する具体的な実施形態に限定するものではないことをここに付言する。
（形態１）イオンビームエッチング装置内の試料を処理するための試料テーブルであって、該試料テーブルは、少なくとも２つの位置決めユニットを備えた交換テーブルとして設けられており、前記位置決めユニットは、各々につき受容機構とマスクを有し、前記受容機構内には、イオンビームエッチング過程中に該試料テーブルの方向へ配向されているイオンビームに関して試料が取り付け可能であり、前記試料は、該試料の位置について前記マスクに対して相対的に位置決め可能であり、該試料テーブルは、該試料テーブル上の前記位置決めユニットの各々が前記イオンビームエッチング装置のイオンビームに対して配向可能である位置決め位置の間において交換を可能とする機構を有し、１つの前記位置決めユニット内の前記試料が前記イオンビームにさらされており、それに対して各々の残りの前記位置決めユニットは前記イオンビームから回避されている、との形式を有する前記試料テーブルにおいて、前記位置決めユニットは、共通の真空チャンバ内に配置されており、少なくとも、前記イオンビームエッチング装置の前記イオンビームに対して配向されている１つの前記位置決めユニットと、前記イオンビームから回避されている各々の残りの前記位置決めユニットとの間には、少なくとも１つの保護用分離部が配設されていること。
（形態２）前記試料テーブルにおいて、前記試料テーブルは、１つの回転軸線の周りで回転可能な回転ディスクを含んで構成され、前記位置決めユニットは、好ましくは同じ角度で互いにずらされて回転可能な該回転ディスク上に配設されており、前記位置決めユニットは、該回転ディスクの回転により好ましくは順次的にイオンビームに対して配向可能であることが好ましい。
（形態３）前記試料テーブルにおいて、前記回転ディスクの前記回転軸線は、実質的に垂直方向に配向されていることが好ましい。
（形態４）前記試料テーブルにおいて、前記回転ディスクの前記回転軸線は、実質的に水平方向に配向されていることが好ましい。
（形態５）前記試料テーブルにおいて、前記試料テーブルは、縦長に形成された可動式の支持台を含んで構成され、前記位置決めユニットは、長手方向において好ましくは規則的な間隔をもって縦長の前記支持台上に配設されており、前記位置決めユニットは、長手方向における前記支持台の移動により好ましくは順次的に前記イオンビームに対して配向可能であることが好ましい。
（形態６）前記試料テーブルにおいて、前記支持台は、スライドレールとして形成されていることが好ましい。
（形態７）前記試料テーブルにおいて、前記試料テーブルは、前記回転ディスクの回転のために或いは前記支持台の移動のために、制御可能な駆動部を有することが好ましい。
（形態８）前記試料テーブルにおいて、各前記位置決めユニットは、各々隣接する前記位置決めユニットから１つの保護用分離部により分離されていることが好ましい。
（形態９）前記試料テーブルにおいて、前記保護用分離部は、永続的に配設されていることが好ましい。
（形態１０）前記試料テーブルにおいて、前記保護用分離部は、位置決め可能に配設されていることが好ましい。
（形態１１）前記試料テーブルにおいて、位置決め可能な前記保護用分離部は、保護用カバーを含んで構成され、該保護用カバーは、バネ機構を用いて開閉可能であることが好ましい。
（形態１２）前記試料テーブルにおいて、位置決め可能な前記保護用分離部は、保護用カバーを含んで構成され、該保護用カバーは、オーバーラップする薄片を有することが好ましい。
（形態１３）前記試料テーブルにおいて、位置決め可能な前記保護用分離部は、開閉可能な保護用カバーを含んで構成され、該保護用カバーには、開閉のための駆動部が付設されていることが好ましい。
（形態１４）前記試料テーブルにおいて、３つの位置決めユニットが、前記回転ディスク上で互いに１２０°の角度をおいて配設されており、これらの３つの位置決めユニットの間には、各々、前記回転ディスクに対して垂直に配設され且つ前記回転軸線に対して半径方向に延在する保護用分離部が配設されていることが好ましい。
（形態１５）試料テーブルフランジであって、前記試料テーブルを含んで構成されること。
（形態１６）イオンビームエッチング装置内の少なくとも２つの試料を順次的に作製するための方法であって、
以下のステップ、即ち、
（ａ）前記試料テーブルの少なくとも２つの位置決めユニットに試料を固定し、これらの各々の位置決めユニットにおいて前記試料を手動で調節するステップと、
（ｂ）真空チャンバ内に前記試料テーブルを配置するステップと、
（ｃ）前記試料テーブルの移動によりイオンビームに対して前記位置決めユニットの１つを配向し、この際、この位置決めユニット内の試料は前記イオンビームにさらされ、それに対して各々の残りの前記位置決めユニットは前記イオンビームから回避されており、そしてイオンビームエッチングを用い、前記イオンビームにさらされている前記試料を処理するステップと、
（ｄ）前記試料テーブルの移動により位置決め位置を交換し、前記イオンビームに対して次の前記位置決めユニットを配向し、そしてイオンビームエッチングを用いて前記試料を作製するステップと、
（ｅ）ステップ（ｃ）及び（ｄ）を、イオンビームエッチングを用いて全ての試料が作製されるに至るまで繰り返すステップと、
（ｆ）必要に応じてステップ（ｃ）から（ｅ）を繰り返すステップとを含むこと。
（形態１７）前記方法において、前記ステップ（ｄ）の位置決め位置の交換は、順次的に行われることが好ましい。
【００３９】
以下、添付の図面に図示された（本発明を制限するものではない）具体的な実施形態について、本発明の更なる長所と共に詳細に説明する。
【００４０】
図１は、イオンビームエッチング装置用の回転可能な試料テーブル１００の形式をもつ本発明の具体的な第１実施形態を示しており、該試料テーブル１００は、垂直方向（鉛直方向）の回転軸線Ｌの周りで回転可能に支持されている（水平型回転テーブル）。試料テーブル１００は回転ディスク１０７を含んでおり、該回転ディスク１０７上には全部で３つの位置決めユニット１０１、１０２、１０３が互いに１２０°の角度でずらされて配設されている。個々の位置決めユニット１０１、１０２、１０３の構造は、当業者にとってそれ自体公知であり、上記特許文献１に記載されているようなイオンビームスロープ（斜切）エッチング法のために構成されている。各位置決めユニット１０１、１０２、１０３は、例えばネジなどを用いて２つの平面（レベル）において調節可能な受容機構１０６を含んでおり、該受容機構１０６上に試料（サンプル）１０４が取り付け可能であり、更に各位置決めユニット１０１、１０２、１０３は、保護用のマスク１０５を備えたマスク保持器１０８を含んでいる。これらの３つの位置決めユニット１０１、１０２、１０３の間には、各々、回転ディスク１０７に対して垂直(normal)に配設され且つ回転軸線Ｌに対して半径方向に延在する、ここでは金属保護板の形式の保護用分離部１０９ａ、１０９ｂ、１０９ｃが配設されている。図２及び図５からよく見てとれるように、保護用分離部１０９ａ、１０９ｂ、１０９ｃは、エッチング過程中に切除される試料材料による、待機位置にある位置決めユニット１０１、１０２、１０３の汚染を防止する目的をもっている。試料テーブル１００を回転させるために該試料テーブル１００には歯車駆動部１１０が付設されており、この際、駆動部歯車１１１が、回転ディスク１０７の外側縁部１１２に設けられた歯部（非図示）と噛合する。
【００４１】
図２は、図１による試料テーブル１００が内部に取り付けられた試料テーブルフランジ１２０の斜視図を示している。図２からよく見てとれるように、位置決めユニット１０１、１０２、１０３の１つだけが外方へ突き出ており、従ってイオンビームにさらされて（エクスポーズされて）おり（処理位置）、それに対して各々の残りの位置決めユニット１０１、１０２、１０３は、試料テーブルフランジ１２０のフランジハウジング１２１内に配置されており、従って待機位置にある。図２において位置決めユニット１０１は処理位置（加工位置）にあり、それに対して位置決めユニット１０２、１０３はフランジハウジング１２１内にあって待機位置にある。この際、１２０°の角度で試料テーブル１００を回転させることにより、これらの位置決めユニット１０１、１０２、１０３は、自身の位置（ポジション）を交換する、即ち待機位置から処理位置へ、或いは処理位置から待機位置へと交換し、この際、この交換は、好ましくは順次的(sequentiell)に行われる。待機位置にある各々の位置決めユニット１０１、１０２、１０３は、対応する保護用分離部１０９ａ、１０９ｂ、１０９ｃにより、エッチング過程時に発生する切除された試料材料による汚染から保護されている。
【００４２】
図３及び図４は、各々、図２による試料テーブルフランジ１２０が取り付けられた開放状態のイオンビームエッチング装置の側面図を示している。試料テーブルフランジ１２０は、イオンビームエッチング装置２００の運転開始時には、イオン源が配設されている真空室２０１（真空チャンバ Rezipient）に真空気密状態で接続されている（図５参照：図５は、試料テーブルフランジ１２０が接続された閉鎖状態の真空室２０１の断面図を示している。）。３つの試料１０４は、真空状態にする前で且つイオンビームエッチング過程の開始前に試料テーブル１００の位置決めユニット１０１、１０２、１０３上に取り付けられ、それに引き続き、手動で各々のマスク１０５に対して相対的に調節される。この調節は、一方では各々の受容機構１０６上に試料１０４を正確に取り付ける（接着する：貼り付ける）ことにより、また固定位置決めされているマスク１０５に関しては位置決めネジを用いて行われる。試料のこの先行調節は、１回の処理手順サイクル（試料テーブル１００を一回転させること in einem Durchgang）による全ての試料の好ましくは順次的なイオンビームエッチングを可能とし、或いはまた、必要な場合には２回目の又は更なる処理手順サイクルにより全ての又は選択された試料の好ましくは順次的なイオンビームエッチングを可能とする。図３において試料テーブルフランジ１２０は、９０°傾動された第１調節位置にある。図４において試料テーブルフランジ１２０は第２調節位置にあり、この第２調節位置は、試料テーブルフランジ１２０が引き続き支持レール２０４を用いて水平方向において真空室２０１の方向へスライドされ、該真空室２０１に真空気密状態で接続されることになる位置をも意味している。試料調節のためにイオンビームエッチング装置２００は更に双眼鏡或いは双眼顕微鏡２０２を有している。
【００４３】
３つの試料の取り付け及び調節の後、試料テーブルフランジ１２０は、イオンビームエッチング装置２００の真空チャンバに接続され、試料室が、高真空（通常は少なくとも１０−６ｍｂａｒ）を作り出すためにポンプ排出(abpumpen)される。図５は、試料テーブルフランジ１２０が接続された閉鎖状態の真空室２０１の断面平面図を示しており、この図では、試料テーブル１００が（太線で）強調されて示されている。位置決めユニット１０１は処理位置にあり、それに対して残りの位置決めユニット１０２、１０３は待機位置にある。エッチング法は、上記特許文献１から公知の上記イオンビームスロープ（斜切）エッチング法に従って行われる。それによると、上記特許文献１で記載されているように、イオン源２０３内に組み込まれている３つのイオンビームが、互いに所定角度のもと、位置決めユニット１０１の試料１０４の試料表面へと案内されている。それらの試料は、位置決めユニット１０１、１０２、１０３が試料テーブル１００の回転により各々の処理位置或いは待機位置へもたらされることにより順次的に作製（調整）される。
【００４４】
図６は、回転可能な試料テーブル３００の第２実施形態の俯瞰図を示しており、該試料テーブル３００は、上記試料テーブル１００と同様に垂直方向の回転軸線を有するルーレット式の水平型回転テーブルとして形成されているが、同じ角度で互いにずらされて回転ディスク３０７上に配設された多数の位置決めユニット（３０１、３０２、３０３、３０４、３０５；ｎ個）を有している。例えば、回転ディスク３０７上には１０個までの位置決めユニット（ｎ＝＜１０）を配設することができるが、その理由は、このようにするとイオンビームエッチング装置のフル稼動能力を高くでき、それにもかかわらず試料テーブル３００はコンパクトなサイズ(handliche Demension)を有し、更には例えばイオン源のために必要な整備期間を維持することができるためである。試料テーブル３００の位置決めユニットは、それらの原理的な構造について上述の位置決めユニット１０１、１０２、１０３に対応している。位置決めユニット３０１は処理位置にあり、それに対して残りの位置決めユニットは待機位置にある。試料テーブル３００を回転させるために該試料テーブル３００には同様に上述の歯車駆動部１１０が付設されている。図６において矢印３０６は、位置決め位置（番号１、２、３、４、５。。。ｎと記入されているところ）の交換時における試料テーブル３００の回転方向を表し、矢印３０９は、位置決めユニット３０１に取り付けられた試料へと配向されているイオンビームの方向を表している。複数の位置決めユニットを備えた回転ディスク３０７は保護ハウジング３０８ａ内に配設されており、この際、処理位置にある位置決めユニット（ここでは位置決めユニット３０１）は保護ハウジング３０８ａの外側に位置し、イオンビームにさらされており、更には、所定角度をおいて互いに配設された位置決め可能な２つの保護カバー３０８ｂ、３０８ｃ（鎖線）により、残りの位置決めユニットから遮蔽されている。保護カバー３０８ｂ、３０８ｃは、詳細に上述したように、折り畳み可能な又は旋回可能な又は摺動可能なカバーとして実施することができ、例えば、バネ機構を用いて又は駆動部を用いて開閉可能である折り畳み式ドアの形式として実施することができる。
【００４５】
図７は、回転可能な試料テーブル４００の第３実施形態の側面図を示しており、該試料テーブル４００は、水平方向の回転軸線を有するリボルバ式の垂直型回転テーブルとして形成されている。試料テーブル４００は、同じ角度で互いにずらされて回転ディスク４０７上に配設された多数の位置決めユニット（４０１、４０２、４０３、４０４、４０５；ｎ個）を有している。例えば、回転ディスク４０７上には１０個までの位置決めユニット（ｎ＝＜１０）を配設することができるが、その理由は、このようにするとイオンビームエッチング装置のフル稼動能力を高くでき、それにもかかわらず試料テーブル４００はコンパクトなサイズを有し、更には例えばイオン源のために必要な整備期間を維持することができるためである。試料テーブル４００の位置決めユニットは、それらの原理的な構造について上述の位置決めユニット１０１、１０２、１０３に対応している。位置決めユニット４０１は処理位置にあり、それに対して残りの位置決めユニットは待機位置にある。試料テーブル４００を回転させるために該試料テーブル４００には同様に上述の歯車駆動部１１０が付設されている。図７において矢印４０６は、位置決め位置（番号１、２、３、４、５。。。ｎと記入されているところ）の交換時における試料テーブル４００の回転方向を表している。イオンビームは、出射開口部４０９（俯瞰図として図示されている）を通じて出射し、位置決めユニット４０１に取り付けられた試料へと配向されている。位置決めユニットは、イオンビームが回転ディスク４０７の水平方向の回転軸線と平行に且つ回転ディスク４０７の平面に対して垂直(normal)に配向されているように回転ディスク４０７上に配設されている。図６に関して上述したように、本実施形態においても、複数の位置決めユニットを備えた回転ディスク４０７は保護ハウジング４０８ａ内に配設されており、この際、処理位置にある位置決めユニット（ここでは位置決めユニット４０１）は保護ハウジング４０８ａの外側に位置し、イオンビームにさらされており、更には、所定角度をおいて互いに配設された位置決め可能な２つの保護カバー４０８ｂ、４０８ｃ（鎖線）により、残りの位置決めユニットから遮蔽されている。保護カバー４０８ｂ、４０８ｃは、詳細に上述したように、折り畳み可能な又は旋回可能な又は摺動可能なカバーとして実施することができ、例えば、バネ機構を用いて又は駆動部を用いて開閉可能である折り畳み式ドアの形式として実施することができる。
【００４６】
図８は、回転可能な試料テーブル５００の第４実施形態の側面図を示しており、該試料テーブル５００は、水平方向の回転軸線を有するリボルバ式の垂直型回転テーブルとして形成されている。試料テーブル５００の原理的な構造は、試料テーブル４００の構造（図７参照）に対応している。試料テーブル５００は、図７の試料テーブル４００とは、イオンビームが水平方向の回転軸線に対して垂直(normal)に配向されているように複数の位置決めユニット（５０１、５０２、５０３、５０４、５０５；ｎ個）が回転ディスク５０７上に配設されていることにより異なっている。例えば回転ディスク５０７上には１０個までの位置決めユニット（ｎ＝＜１０）を配設することができるが、その理由は、このようにするとイオンビームエッチング装置のフル稼動能力を高くでき、それにもかかわらず試料テーブル５００はコンパクトなサイズを有し、更には例えばイオン源のために必要な整備期間を維持することができるためである。図８において矢印５０６は、位置決め位置（番号１、２、３、４、５。。。ｎと記入されているところ）の交換時における試料テーブル５００の回転方向を表し、矢印５０９は、位置決めユニット５０１に取り付けられた試料へと配向されているイオンビームの方向を表している。試料テーブル５００を回転させるために該試料テーブル５００には同様に上述の歯車駆動部１１０が付設されている。本実施形態においても、複数の位置決めユニットを備えた回転ディスク５０７は保護ハウジング５０８ａ内に配設されており、この際、処理位置にある位置決めユニット（ここでは位置決めユニット５０１）は保護ハウジング５０８ａの外側に位置し、イオンビームにさらされており、更には、実質的に平行に互いに配設された位置決め可能な２つの保護カバー５０８ｂ、５０８ｃ（鎖線）により、残りの位置決めユニットから遮蔽されている。保護カバー５０８ｂ、５０８ｃは、詳細に上述したように、折り畳み可能な又は旋回可能な又は摺動可能なカバーとして実施することができ、例えば、バネ機構を用いて又は駆動部を用いて開閉可能である折り畳み式ドアの形式として実施することができる。保護カバー５０８ｂ、５０８ｃは、真空に適しており且つ実質的に垂直方向に延在してオーバーラップする薄片、又は薄片カーテンの形式の帯材としても形成することができる。
【００４７】
図９は、試料テーブル６００の第５実施形態の側面図を示している。該試料テーブル６００は、リバーシブル式（往復両方向可動式）で長手方向（縦方向）において摺動可能な縦長のスライドレール６０７を含んでいる。複数の位置決めユニット（６０１、６０２、６０３、６０４、６０５；ｎ個）が、長手方向において規則的な間隔をもってスライドレール６０７上に固定されており、長手方向（矢印６０６）におけるスライドレール６０７の移動により順次的にイオンビーム（イオンビームの出射開口部６０９への俯瞰図として図示されている）に対して配向可能である。例えばスライドレール６０７上には１０個までの位置決めユニット（ｎ＝＜１０）を配設することができるが、その理由は、このようにするとイオンビームエッチング装置のフル稼動能力を高くでき、それにもかかわらず試料テーブル６００はコンパクトなサイズを有し、更には例えばイオン源のために必要な整備期間を維持することができるためである。長手方向におけるスライドレール６０７の移動のために試料テーブル６００には上述の歯車駆動部１１０が付設されており、この際、歯車駆動部１１０の駆動部歯車が、スライドレール６０７に設けられた歯部と噛合する。この実施形態において、複数の位置決めユニットを備えたスライドレール６０７は保護ハウジング６０８ａ内に配設されている。保護ハウジング６０８ａは、両方向（長手方向の前後方向）におけるスライドレール６０７の長手方向摺動を可能にするために、長手方向において図９に図示されているよりも大きくサイズ決定されている（一点鎖線により示唆されている）。処理位置にある位置決めユニット（ここでは位置決めユニット６０３）は保護ハウジング６０８ａの外側に位置し、イオンビームにさらされており、更には、実質的に平行に互いに配設された位置決め可能な２つの保護カバー６０８ｂ、６０８ｃ（鎖線）により、残りの位置決めユニットから遮蔽されている。保護カバー６０８ｂ、６０８ｃは、詳細に上述したように、折り畳み可能な又は旋回可能な又は摺動可能なカバーとして実施することができ、例えば、バネ機構を用いて又は駆動部を用いて開閉可能である折り畳み式ドアの形式として実施することができる。保護カバー６０８ｂ、６０８ｃは、真空に適しており且つ実質的に垂直方向に延在してオーバーラップする薄片、又は薄片カーテンの形式の帯材としても形成することができる。
【００４８】
尚、本発明の全開示（特許請求の範囲及び図面を含む）の枠内において、更にその基本的技術思想に基づいて、実施形態ないし実施例の変更、調整が可能である。また、本発明の特許請求の範囲の枠内において種々の開示要素（各請求項の各要素、各実施形態の各要素、各図面の各要素等を含む）の多様な組み合わせないし選択が可能である。即ち、本発明は、特許請求の範囲及び図面を含む全開示、技術的思想に従って当業者であればなし得るであろう各種変形、修正を含むことは勿論である。
【符号の説明】
【００４９】
Ｌ                  回転軸線
１００              試料テーブル
１０１〜１０３      位置決めユニット
１０４              試料
１０５              マスク
１０６              受容機構
１０７              回転ディスク
１０８              マスク保持器
１０９ａ〜１０９ｃ  保護用分離部
１１０              歯車駆動部
１１１              駆動部歯車
１１２              外側縁部
１２０              試料テーブルフランジ
１２１              フランジハウジング
２００              イオンビームエッチング装置
２０１              真空室（真空チャンバ）
２０２              双眼鏡或いは双眼顕微鏡
２０３              イオン源
２０４              支持レール
３００              試料テーブル
３０１〜３０５      位置決めユニット
３０６              試料テーブルの回転方向
３０７              回転ディスク
３０８ａ            保護ハウジング
３０８ｂ、３０８ｃ  保護カバー
３０９              イオンビームの方向
４００              試料テーブル
４０１〜４０５      位置決めユニット
４０６              試料テーブルの回転方向
４０７              回転ディスク
４０８ａ            保護ハウジング
４０８ｂ、４０８ｃ  保護カバー
４０９              イオンビームの出射開口部
５００              試料テーブル
５０１〜５０５      位置決めユニット
５０６              試料テーブルの回転方向
５０７              回転ディスク
５０８ａ            保護ハウジング
５０８ｂ、５０８ｃ  保護カバー
５０９              イオンビームの方向
６００              試料テーブル
６０１〜６０５      位置決めユニット
６０６              試料テーブルの移動方向
６０７              スライドレール（支持台）
６０８ａ            保護ハウジング
６０８ｂ、６０８ｃ  保護カバー
６０９              イオンビームの出射開口部
【図１】
0005946284.tif 000002
【図２】
0005946284.tif 000003
【図３】
0005946284.tif 000004
【図４】
0005946284.tif 000005
【図５】
0005946284.tif 000006
【図６】
0005946284.tif 000007
【図７】
0005946284.tif 000008
【図８】
0005946284.tif 000009
【図９】
0005946284.tif 000010